(57)【要約】【課題】車両の虚像表示用反射ミラーのチルト角調整方向を容易に把握可能にする。【解決手段】赤外線カメラ２１で撮影した車両前方の映像の像光を乗員のアイポイントＩＰ側に反射させる、チルト角調整可能な第３の反射ミラー３１の上下チルト角が、第３の反射ミラー３１上において赤外線カメラ２１による撮影画像の虚像を全く視認できないほどずれている場合に、発光表示源５のＴＦＴ液晶パネル５１の主情報表示領域Ａ１に表示される赤外線カメラ２１による撮影画像の虚像を、その上下の全体に亘って第３の反射ミラー３１上で視認できるような適切な角度とするのに必要な、第３の反射ミラー３１の上下チルト角の調整方向を案内する矢印のマークの虚像が、その状態の第３の反射ミラー３１上で視認されるように、矢印のマークを発光表示する上側や下側のマーク表示領域Ａ３，Ａ５をＴＦＴ液晶パネル５１の主情報表示領域Ａ１の近辺に配置した。【選択図】図１
2006224919.tif 000002
【特許請求の範囲】
【請求項１】
車両の乗員に視認させる情報画像を発光表示させる情報画像表示源と、
前記乗員の前方に配置され該乗員のアイポイントに向けて前記情報画像表示源からの表示光を反射させる反射ミラーと、
前記反射ミラー上において前記乗員により視認される前記情報画像の虚像の位置が移動するように、前記反射ミラーをチルト角調整可能に支持するチルト角調整機構とを備え、
前記チルト角調整機構による前記反射ミラーのチルト角の調整に伴う、前記反射ミラー上において前記乗員により視認される前記情報画像の虚像の移動方向における、該情報画像の虚像の全範囲を、前記反射ミラー上において視認可能とするための、該反射ミラーに対する前記乗員からの視認方向が、前記反射ミラーのチルト角に応じて定まる車両用虚像表示装置であって、
前記情報画像表示源の周辺の箇所に配置され、当該箇所の前記情報画像表示源に対する位置ずれ方向を示すマークを発光表示する位置ずれマーク表示源をさらに備えており、
前記位置ずれマーク表示源は、前記反射ミラー上において前記乗員により視認される前記情報画像の虚像の、前記移動方向における外側に、前記反射ミラー上において前記乗員により視認される前記マークの虚像が配置される位置であって、かつ、前記乗員が前記移動方向における前記情報画像の虚像の全範囲を前記反射ミラー上において視認できない角度に、前記反射ミラーのチルト角が設定されている状態において、前記マークの虚像を前記反射ミラー上において前記乗員が視認できる位置に配置されている、
ことを特徴とする車両用虚像表示装置。
【請求項２】
前記情報画像表示源及び前記位置ずれマーク表示源は、発光表示領域毎に個別に発光表示制御可能な単一の発光表示デバイスの互いに異なる発光表示領域によって各々構成されている請求項１記載の車両用虚像表示装置。
【請求項３】
前記マークの表示及び非表示を指示する操作スイッチをさらに備えており、前記位置ずれマーク表示源は前記操作スイッチの操作に応じて前記マークを選択的に発光表示するように構成されている請求項１又は２記載の車両用虚像表示装置。
【請求項４】
前記位置ずれマーク表示源は前記マークを常時発光表示するように構成されており、前記位置ずれマーク表示源の周囲を覆う光路制限部材をさらに備えていて、該光路制限部材は、前記反射ミラーのチルト角が、前記乗員が前記移動方向における前記情報画像の虚像の少なくとも一部を前記反射ミラー上において視認できる角度に設定されている状態において、前記位置ずれマーク表示源から前記反射ミラーによって反射されて前記乗員のアイポイントに向かう前記マークの表示光の光束を遮るように構成されている請求項１記載の車両用虚像表示装置。
【発明の詳細な説明】
【技術分野】
【０００１】
本発明は、車両の乗員の前方に配置された反射ミラー上において、情報画像表示源に表示される情報画像の虚像を乗員に視認させる車両用虚像表示装置に関する。
【背景技術】
【０００２】
発光表示源に表示された情報画面の表示光を車両の乗員の前方に配置した全反射ミラーやコンバイナで乗員側に反射させて、全反射ミラーやコンバイナ上において情報画面の虚像を遠方表示状態で乗員に視認させる、ヘッドアップディスプレイとも呼ばれる車両用虚像表示装置の分野においては、従来から、乗員の体格等の違いによるアイポイントのずれに対応するために、全反射ミラーやコンバイナをチルト角調整可能に支持するチルト角調整機構が採用されている（例えば、特許文献１，２）。
【特許文献１】特開平９−３１５１８２号公報
【特許文献２】特開平９−３１５１８２号公報
【発明の開示】
【発明が解決しようとする課題】
【０００３】
上述したようなチルト角調整機構が採用されたヘッドアップディスプレイにおいては、他人の体格に合わせて全反射ミラーやコンバイナのチルト角が調整されていると、自身のアイポイントと発光表示源との位置関係に対して全反射ミラーやコンバイナのチルト角が的確に設定されていないため、全反射ミラーやコンバイナに映る情報画面の虚像の一部が欠けてしまったり、全反射ミラーやコンバイナに情報画面の虚像が全く映って見えない場合がある。
【０００４】
その場合、情報画面の虚像が一部でも映って見える状態であれば、その情報画面の虚像の一部が全反射ミラーやコンバイナのどの辺りに映って見えているかを手がかりにして、情報画面の虚像の全範囲が全反射ミラーやコンバイナに映って見えるようにするための、全反射ミラーやコンバイナのチルト角の調整方向を、容易に判別することができる。
【０００５】
しかし、情報画面の虚像が全反射ミラーやコンバイナに全く映っていないと、全反射ミラーやコンバイナのチルト角がどの方向にずれているのかを、情報画面の虚像を手がかりにして知ることができないので、情報画面の虚像の全範囲が全反射ミラーやコンバイナに映って見えるようにするための、全反射ミラーやコンバイナのチルト角の調整方向を、容易に判別することができない。
【０００６】
本発明は上記事情に鑑みなされたもので、本発明の目的は、乗員のアイポイントと発光表示源との位置関係に対して全反射ミラーやコンバイナのチルト角が的確に設定されておらず、情報画面の虚像が全反射ミラーやコンバイナに全く映っていない状態であっても、情報画面の虚像の全範囲が全反射ミラーやコンバイナに映って見えるようにするための、全反射ミラーやコンバイナのチルト角の調整方向を、容易に判別することができる車両用虚像表示装置を提供することにある。
【課題を解決するための手段】
【０００７】
前記目的を達成するため請求項１に記載した本発明の車両用虚像表示装置は、車両の乗員に視認させる情報画像を発光表示させる情報画像表示源と、前記乗員の前方に配置され該乗員のアイポイントに向けて前記情報画像表示源からの表示光を反射させる反射ミラーと、前記反射ミラー上において前記乗員により視認される前記情報画像の虚像の位置が移動するように、前記反射ミラーをチルト角調整可能に支持するチルト角調整機構とを備え、前記チルト角調整機構による前記反射ミラーのチルト角の調整に伴う、前記反射ミラー上において前記乗員により視認される前記情報画像の虚像の移動方向における、該情報画像の虚像の全範囲を、前記反射ミラー上において視認可能とするための、該反射ミラーに対する前記乗員からの視認方向が、前記反射ミラーのチルト角に応じて定まる車両用虚像表示装置であって、前記情報画像表示源の周辺の箇所に配置され、当該箇所の前記情報画像表示源に対する位置ずれ方向を示すマークを発光表示する位置ずれマーク表示源をさらに備えており、前記位置ずれマーク表示源は、前記反射ミラー上において前記乗員により視認される前記情報画像の虚像の、前記移動方向における外側に、前記反射ミラー上において前記乗員により視認される前記マークの虚像が配置される位置であって、かつ、前記乗員が前記移動方向における前記情報画像の虚像の全範囲を前記反射ミラー上において視認できない角度に、前記反射ミラーのチルト角が設定されている状態において、前記マークの虚像を前記反射ミラー上において前記乗員が視認できる位置に配置されていることを特徴とする。
【０００８】
また、請求項２に記載した本発明の車両用虚像表示装置は、請求項１に記載した本発明の車両用虚像表示装置において、前記情報画像表示源及び前記位置ずれマーク表示源が、発光表示領域毎に個別に発光表示制御可能な単一の発光表示デバイスの互いに異なる発光表示領域によって各々構成されているものとした。
【０００９】
さらに、請求項３に記載した本発明の車両用虚像表示装置は、請求項１又は２に記載した本発明の車両用虚像表示装置において、前記マークの表示及び非表示を指示する操作スイッチをさらに備えており、前記位置ずれマーク表示源が前記操作スイッチの操作に応じて前記マークを選択的に発光表示するように構成されているものとした。
【００１０】
また、請求項４に記載した本発明の車両用虚像表示装置は、請求項１に記載した本発明の車両用虚像表示装置において、前記位置ずれマーク表示源が前記マークを常時発光表示するように構成されており、前記位置ずれマーク表示源の周囲を覆う光路制限部材をさらに備えていて、該光路制限部材が、前記反射ミラーのチルト角が、前記乗員が前記移動方向における前記情報画像の虚像の少なくとも一部を前記反射ミラー上において視認できる角度に設定されている状態において、前記位置ずれマーク表示源から前記反射ミラーによって反射されて前記乗員のアイポイントに向かう前記マークの表示光の光束を遮るように構成されているものとした。
【発明の効果】
【００１１】
請求項１に記載した本発明の車両用虚像表示装置によれば、全反射ミラーやコンバイナのような半反射ミラーといった反射ミラー上において車両の乗員により視認される、情報画像表示源の表示する情報画像の虚像の位置が、チルト角調整機構によるチルト角の調整に伴って移動する車両用虚像表示装置において、情報画像の虚像を乗員が全く視認できない角度に反射ミラーのチルト角が設定されている場合、情報画像表示源の周辺の箇所に配置された位置ずれマーク表示源の発光表示するマークの虚像が、反射ミラー上において乗員により視認されることとなる。
【００１２】
このため、情報画面の虚像の全範囲が反射ミラー上に映って見えるようにするための、チルト角調整機構による反射ミラーのチルト角の調整方向を、反射ミラー上における情報画像の虚像の位置を手がかりに判別することができなくても、反射ミラー上で乗員により虚像として視認される、位置ずれマーク表示源が発光表示したマークの示す位置ずれ方向を手がかりに、情報画面の虚像の全範囲が反射ミラーに映って見えるようにするための、チルト角調整機構による反射ミラーのチルト角の調整方向を、容易に判別することができる。
【００１３】
また、請求項２に記載した車両用虚像表示装置によれば、請求項１に記載した本発明の車両用虚像表示装置において、情報画面の虚像の全範囲が反射ミラー上に映って見えるようにするための、チルト角調整機構による反射ミラーのチルト角の調整方向を知る手がかりとなるマークを、位置ずれマーク表示源に発光表示させるのに当たって、情報画像表示源用の発光表示デバイスとは別の独立した発光表示デバイスにより位置ずれマーク表示源を構成する必要がないので、発光表示デバイスに関する装置コストの増加を抑制することができる。
【００１４】
さらに、請求項３に記載した車両用虚像表示装置によれば、請求項１又は２に記載した本発明の車両用虚像表示装置において、情報画像の虚像の移動方向における全範囲を反射ミラー上で視認できるようにするには、反射ミラーのチルト角をどの方向に調整すればよいのかを、反射ミラー上で乗員が視認できる情報画像の虚像の少なくとも一部によって判別できる場合や、情報画像の虚像の移動方向における全範囲を反射ミラー上で視認できるので、反射ミラーのチルト角の調整方向をそもそも判別する必要がない場合に、マークの非表示を指示する操作スイッチの操作により、必ずしも乗員に視認させる必要のないマークの位置ずれマーク表示源による発光表示を行わせないようにして、マークの発光表示に関する電力の無駄な消費を防止することができる。
【００１５】
また、請求項４に記載した車両用虚像表示装置によれば、請求項１に記載した本発明の車両用虚像表示装置において、情報画像の虚像の全範囲を反射ミラー上で視認できるようにするのに反射ミラーのチルト角をどの方向に調整すればよいのかを、反射ミラー上で乗員が視認できる情報画像の虚像の少なくとも一部によって判別できる場合や、情報画像の虚像の移動方向における全範囲を反射ミラー上で視認できるので、反射ミラーのチルト角の調整方向をそもそも判別する必要がない場合に、反射ミラー上でその虚像を乗員に視認させる必要がないにも拘わらず、位置ずれマーク表示源が常時発光表示しているマークの像光が反射ミラー上に到達して、反射ミラー上に映り込んだ情報画像の虚像の視認性を低下させるゴースト像を反射ミラー上に形成してしまうのを、防止することができる。
【発明を実施するための最良の形態】
【００１６】
以下、本発明の車両用虚像表示装置を、図面を参照して説明する。
【００１７】
まず、図１乃至図５を参照して、本発明の第１実施形態に係る車両用虚像表示装置について説明する。
【００１８】
図１は本発明の第１実施形態に係る車両用虚像表示装置の概略構成を示す断面図で、第１実施形態の車両用虚像表示装置は、例えば車両のフロントグリル等に取り付けた後述の赤外線カメラ２１（図５参照）によって夜間に撮影した車両前方の映像を、フロントガラス越しに乗員が視認可能な領域についての肉眼で見えない情報の補助情報として、乗員に視認させるために使用される。
【００１９】
そして、第１実施形態の車両用虚像表示装置は、車両のダッシュボード１の上面１ａに形成された開口１ｂを開閉するように、ダッシュボード１の内部に車両の左右方向に延在するように配設された枢軸３ａを中心にして、車両の前方に向けて起立しダッシュボード１の上面１ａ上に進出した状態と、後方に向けて傾倒しダッシュボード１の上面１ａ上から退避した状態との間で、開閉（起立／傾倒）可能に設けられたベースユニット３と、ダッシュボード１内に収容、固定されたバックライト付きの液晶表示板等の発光表示源５とを有している。
【００２０】
また、第１実施形態の車両用虚像表示装置は、発光表示源５から出射された表示光をベースユニット３に導くようにダッシュボード１内に収容された第１及び第２の２つの反射ミラー７，９と、ダッシュボード１内に収容、固定され、発光表示源５から第１及び第２の反射ミラー７，９を経てダッシュボード１の開口１ｂに到る表示光の光路をダッシュボード１内の周辺空間から遮蔽する遮光筒１１とを有しており、この遮光筒１１に第１及び第２の反射ミラー７，９が固定、支持されている。
【００２１】
前記ベースユニット３には、第１及び第２の反射ミラー７，９によりダッシュボード１の開口１ｂを通して発光表示源５から導かれた表示光を、車両の座席に着席した乗員（例えば運転者等）の目の位置の範囲であるアイレンジＩＲ側に向けて反射させる第３の反射ミラー３１と、アイレンジＩＲ内における乗員の実際の目の位置であるアイポイントＩＰの上下方向位置に応じて第３の反射ミラー３１の上下チルト角を調整するためのチルト角調整機構３３とが設けられている。
【００２２】
尚、第１実施形態の車両用虚像表示装置では、第３の反射ミラー３１が請求項中の反射ミラーに相当している。
【００２３】
前記チルト角調整機構３３は、図２に斜視図で示すように、モータ３３ａと、モータ３３ａの回転をベースユニット３に枢支された第３の反射ミラー３１の枢軸３１ａに伝達する歯車列３３ｂと、第３の反射ミラー３１の上下チルト角を検出するための、歯車列３３ｂに作動連結されたロータリーセンサ３３ｃとを有している。
【００２４】
尚、チルト角調整機構３３により第３の反射ミラー３１の上下チルト角を調整する際には、図３の説明図に示す、上下チルト角の調整方向を指示するための「＋」、「−」のボタン１３ａ，１３ｂからなる操作スイッチ１３が乗員によって操作される。この操作スイッチ１３は、例えばダッシュボード１の前面等の操作しやすい場所に、ベースユニット３から独立して配置されており、この操作スイッチ１３も、本実施形態の車両用虚像表示装置の一構成要素となる。
【００２５】
また、ベースユニット３の開閉（起立／傾倒）状態は、ダッシュボード１の開口１ｂの近傍に配置された第１及び第２のリミットスイッチ１５，１７（図５参照）により検出される。
【００２６】
前記発光表示源５は、図４に説明図で示すように、ＴＦＴ液晶パネル５１と、その左右両脇に５列ずつ配置されたバックライト用の白色ＬＥＤ５３ａ〜５３ｅ，５５ａ〜５５ｅとを有している。
【００２７】
ちなみに、ＴＦＴ液晶パネル５１には、基本的には、一般的なＴＦＴ液晶パネルの縦横比よりもフロントガラスに近い横長の形状で赤外線カメラ２１（図５参照）の撮影画像が発光表示されるが、実際には、拡大のために曲面鏡を用いている第３の反射ミラー３１における反射の際の歪を考慮して、その歪とは逆向きに多少歪ませた扇形で発光表示される。
【００２８】
そして、ＴＦＴ液晶パネル５１には、赤外線カメラ２１（図５参照）で撮影された画像を発光表示するための扇形の主情報表示領域Ａ１の上下の余剰領域に、第３の反射ミラー３１の上下チルト角の調整方向を表す矢印のマーク表示領域Ａ３，Ａ５が確保されており、上側のマーク表示領域Ａ３には下向きの矢印が発光表示され、ＴＦＴ液晶パネル５１の下側のマーク表示領域Ａ５には上向きの矢印が発光表示される。
【００２９】
尚、上記したＴＦＴ液晶パネル５１は、下向きの矢印の虚像が第１乃至第３の反射ミラー７，９，３１を介して乗員に、主情報表示領域Ａ１に発光表示された赤外線カメラ２１（図５参照）の撮影画像の虚像よりも上方の位置で視認され、上向きの矢印の虚像が第１乃至第３の反射ミラー７，９，３１を介して乗員に、主情報表示領域Ａ１に発光表示された赤外線カメラ２１（図５参照）の撮影画像の虚像よりも下方の位置で視認されるように、上側のマーク表示領域Ａ３が図１中右側に位置し、下側のマーク表示領域Ａ５が図１中左側に位置するように配置されている。
【００３０】
詳しくは、ＴＦＴ液晶パネル５１における主情報表示領域Ａ１の位置は、例えば、図１に示すアイレンジＩＲ内の任意のアイポイントＩＰに目を位置させた乗員が第３の反射ミラー３１上で視認する、主情報表示領域Ａ１に発光表示されて第１及び第２の反射ミラー７，９で反射された赤外線カメラ２１（図５参照）の撮影画像の虚像が、左右の全幅に亘って第３の反射ミラー３１の左右幅内に収まるように設定されている。
【００３１】
また、ＴＦＴ液晶パネル５１における主情報表示領域Ａ１の位置は、チルト角調整機構３３により第３の反射ミラー３１の上下チルト角が、乗員のアイポイントＩＰとの関係で適切な角度に調整されている場合に、乗員が第３の反射ミラー３１上で視認する、主情報表示領域Ａ１に発光表示されて第１及び第２の反射ミラー７，９で反射された赤外線カメラ２１（図５参照）の撮影画像の虚像が、上下の全幅に亘って第３の反射ミラー３１の上下幅内に収まるように設定されている。
【００３２】
かつ、ＴＦＴ液晶パネル５１における主情報表示領域Ａ１の位置は、第３の反射ミラー３１の上下チルト角が、乗員のアイポイントＩＰとの関係で上側にずれて調整されている場合に、乗員が第３の反射ミラー３１上で視認する、主情報表示領域Ａ１に発光表示されて第１及び第２の反射ミラー７，９で反射された赤外線カメラ２１（図５参照）の撮影画像の虚像が、第３の反射ミラー３１に対して下方にずれ、その下側が欠けて第３の反射ミラー３１上で視認できなくなり、第３の反射ミラー３１の上下チルト角の上側へのずれが大きいと、乗員が第３の反射ミラー３１上で赤外線カメラ２１（図５参照）の撮影画像の虚像を全く視認できなくなるように設定されている。
【００３３】
かつ、ＴＦＴ液晶パネル５１における主情報表示領域Ａ１の位置は、第３の反射ミラー３１の上下チルト角が、乗員のアイポイントＩＰとの関係で下側にずれて調整されている場合に、乗員が第３の反射ミラー３１上で視認する、主情報表示領域Ａ１に発光表示されて第１及び第２の反射ミラー７，９で反射された赤外線カメラ２１（図５参照）の撮影画像の虚像が、第３の反射ミラー３１に対して上方にずれ、その上側が欠けて第３の反射ミラー３１上で視認できなくなり、第３の反射ミラー３１の上下チルト角の下側へのずれが大きいと、乗員が第３の反射ミラー３１上で赤外線カメラ２１（図５参照）の撮影画像の虚像を全く視認できなくなるように設定されている。
【００３４】
また、ＴＦＴ液晶パネル５１における上側のマーク表示領域Ａ３の位置は、乗員が第３の反射ミラー３１上で視認する、主情報表示領域Ａ１に表示されて第１及び第２の反射ミラー７，９で反射された赤外線カメラ２１（図５参照）の撮影画像の虚像が、上下の全幅に亘って第３の反射ミラー３１の上下幅内に収まるように、チルト角調整機構３３により第３の反射ミラー３１の上下チルト角が適切に調整されている場合に、上側のマーク表示領域Ａ３に発光表示されて第１及び第２の反射ミラー７，９で反射された下向きの矢印の虚像が、第３の反射ミラー３１に対して上方にずれて、第３の反射ミラー３１上で乗員が全く視認できないように設定されている。
【００３５】
かつ、ＴＦＴ液晶パネル５１における上側のマーク表示領域Ａ３の位置は、主情報表示領域Ａ１に発光表示されて第１及び第２の反射ミラー７，９で反射された赤外線カメラ２１（図５参照）の撮影画像の虚像の上側を、乗員が第３の反射ミラー３１上で視認できないように、第３の反射ミラー３１の上下チルト角が下側にずれて調整されている場合に、そのずれの度合いの大小に拘わらず、上側のマーク表示領域Ａ３に発光表示されて第１及び第２の反射ミラー７，９で反射された下向きの矢印の虚像を、乗員が第３の反射ミラー３１上で視認できるように設定されている。
【００３６】
さらに、ＴＦＴ液晶パネル５１における下側のマーク表示領域Ａ５の位置は、乗員が第３の反射ミラー３１上で視認する、主情報表示領域Ａ１に表示されて第１及び第２の反射ミラー７，９で反射された赤外線カメラ２１（図５参照）の撮影画像の虚像が、上下の全幅に亘って第３の反射ミラー３１の上下幅内に収まるように、チルト角調整機構３３により第３の反射ミラー３１の上下チルト角が適切に調整されている場合に、下側のマーク表示領域Ａ５に発光表示されて第１及び第２の反射ミラー７，９で反射された上向きの矢印の虚像が、第３の反射ミラー３１に対して下方にずれて、第３の反射ミラー３１上で乗員が全く視認できないように設定されている。
【００３７】
かつ、ＴＦＴ液晶パネル５１における下側のマーク表示領域Ａ５の位置は、主情報表示領域Ａ１に発光表示されて第１及び第２の反射ミラー７，９で反射された赤外線カメラ２１（図５参照）の撮影画像の虚像の下側を、乗員が第３の反射ミラー３１上で視認できないように、第３の反射ミラー３１の上下チルト角が上側にずれて調整されている場合に、そのずれの度合いの大小に拘わらず、下側のマーク表示領域Ａ５に発光表示されて第１及び第２の反射ミラー７，９で反射された上向きの矢印の虚像を、乗員が第３の反射ミラー３１上で視認できるように設定されている。
【００３８】
ちなみに、第１実施形態の車両用虚像表示装置では、請求項中の情報画像表示源が、ＴＦＴ液晶パネル５１の主情報表示領域Ａ１によって構成されており、請求項中の位置ずれマーク表示源が、ＴＦＴ液晶パネル５１の上側のマーク表示領域Ａ３及び下側のマーク表示領域Ａ５によって構成されている。
【００３９】
上述したチルト角調整機構３３のモータ３３ａ及びロータリーセンサ３３ｃと、操作スイッチ１３と、発光表示源５は、いずれも、図５に第１実施形態の車両虚像表示装置の電気的概略構成のブロック図で示すように、先に説明した赤外線カメラ２１や、後述する第１及び第２のリミットスイッチ１５，１７及び不図示の補助情報表示のオンオフスイッチと共に、マイクロコンピュータ等からなるコントローラ１９に接続される。
【００４０】
このうち、前記第１のリミットスイッチ１５は、ダッシュボード１の内部の、ベースユニット３の傾倒状態において第１の反射ミラー７の周縁のベースユニット３部分により押圧される箇所に配置されており、ベースユニット３が傾倒状態から若干起立した状態から完全に起立した状態までの範囲では、第１の反射ミラー７の周縁のベースユニット３部分が離間し、内蔵のマイクロスイッチが押圧状態を解除されてオフ状態となり、ベースユニット３が完全に傾倒した状態でのみ、マイクロスイッチが押圧されてオン状態となるように構成されている。
【００４１】
また、前記第２のリミットスイッチ１７は、ダッシュボード１の内部の、ベースユニット３の起立状態において枢軸３ａよりも車両の前方側に位置するベースユニット３部分により押圧される箇所に配置されており、ベースユニット３が起立状態から若干傾倒した状態から完全に傾倒した状態までの範囲では、枢軸３ａよりも車両の前方側に位置するベースユニット３部分が離間し、内蔵のマイクロスイッチが押圧状態を解除されてオフ状態となり、ベースユニット３が完全に起立した状態でのみ、マイクロスイッチが押圧されてオン状態となるように構成されている。
【００４２】
そして、前記コントローラ１９は、内部のＲＯＭ（図示せず）等に格納されたプログラムに従って、第２のリミットスイッチ１５のオンによりベースユニット３の起立状態が検出されている状態で、不図示のオンオフスイッチがオンにされると、前記主情報表示領域Ａ１に赤外線カメラ２１の撮影画像が表示されるように、ＴＦＴ液晶パネル５１を赤外線カメラ２１からの画像信号により駆動し、前記上側のマーク表示領域Ａ３や下側のマーク表示領域Ａ５に上向きの矢印や下向きの矢印が発光表示されるように、ＴＦＴ液晶パネル５１を駆動すると共に、ＴＦＴ液晶パネル５１の左右両脇の白色ＬＥＤ５３ａ〜５３ｅ，５５ａ〜５５ｄを点灯させる。
【００４３】
また、前記コントローラ１９は、第２のリミットスイッチ１５のオンによりベースユニット３の起立状態が検出されている状態で、操作スイッチ１３の「＋」ボタン１３ａが操作されると、その操作が終わるまで、あるいは、ロータリーセンサ３３ｃの出力から割り出される第３の反射ミラー３１の上下チルト角がチルト角調整範囲の上側の限界角に達するまで、第３の反射ミラー３１を上側にチルトさせる方向にモータ３３ａを回転させる。
【００４４】
同様に、前記コントローラ１９は、内部の不図示のＲＯＭ等に格納されたプログラムに従って、第２のリミットスイッチ１５のオンによりベースユニット３の起立状態が検出されている状態で、操作スイッチ１３の「−」ボタン１３ｂが操作されると、その操作が終わるまで、あるいは、ロータリーセンサ３３ｃの出力から割り出される第３の反射ミラー３１の上下チルト角がチルト角調整範囲の下側の限界角に達するまで、第３の反射ミラー３１を下側にチルトさせる方向にモータ３３ａを回転させる。
【００４５】
なお、コントローラ１９によって、操作されているボタン１３ａ，１３ｂに対応する方向にモータ３３ａが回転されると、歯車列３３ｂから枢軸３１ａに伝達されるモータ３３ａの回転により、ボタン１３ａが操作された場合は第３の反射ミラー３１が上側に駆動され、ボタン１３ｂが操作された場合は第３の反射ミラー３１が下側に駆動される。
【００４６】
ちなみに、ベースユニット３の開閉（起立／傾倒）は、手動で行うように構成することもできるが、不図示のオンオフスイッチの操作に連動させてモータ等の動力により行うように構成することもでき、その場合、オンオフスイッチがオン操作されればベースユニット３を自動で閉（傾倒）状態から開（起立）状態に移行させ、オンオフスイッチがオフ操作されればベースユニット３を自動で開（起立）状態から閉（傾倒）状態に移行させることになる。
【００４７】
次に、上述のように構成された第１実施形態の車両用虚像表示装置において、赤外線カメラ２１で撮影した車両前方の映像を、フロントガラス越しに乗員が視認可能な領域についての肉眼で見えない情報の補助情報として、起立状態のベースユニット３の第３の反射ミラー３１上において虚像表示させる場合の動作（作用）について説明する。
【００４８】
まず、オンオフスイッチのオン操作によりＴＦＴ液晶パネル５１の主情報表示領域Ａ１に発光表示させた赤外線カメラ２１の撮影画像の像光は、第１及び第２の反射ミラー７，９で反射された後、起立状態のベースユニット３の第３の反射ミラー３１で反射されて、車両のアイレンジＩＲ側に反射される。
【００４９】
このとき、チルト角調整機構３３により第３の反射ミラー３１の上下チルト角が、乗員のアイポイントＩＰとの関係で適切な角度に調整されていれば、乗員が第３の反射ミラー３１上で、主情報表示領域Ａ１に発光表示された赤外線カメラ２１の撮影画像の虚像をその上下左右の全幅に亘って視認することができる。
【００５０】
ところが、第３の反射ミラー３１の上下チルト角が、乗員のアイポイントＩＰとの関係で、上側にずれて調整されていると、乗員が第３の反射ミラー３１上で、主情報表示領域Ａ１に発光表示された赤外線カメラ２１の撮影画像の虚像のうち少なくとも下側の一部を視認できなくなり、その代わりに、主情報表示領域Ａ１に発光表示された赤外線カメラ２１の撮影画像の虚像の上方に、上側のマーク表示領域Ａ３に発光表示された下向きの矢印の虚像を、乗員が第３の反射ミラー３１上で視認することになる。
【００５１】
そこで、第３の反射ミラー３１上で虚像を視認する下向きの矢印によって第３の反射ミラー３１の上下チルト角が適切な角度よりも上側にずれていることを認識した乗員が、操作スイッチ１３の「−」ボタン１３ｂを操作してモータ３３ａを回転させ、チルト角調整機構３３により第３の反射ミラー３１の上下チルト角を下側に調整して、第３の反射ミラー３１の上下チルト角を適切な角度に調整することで、乗員が第３の反射ミラー３１上で視認できる赤外線カメラ２１の撮影画像の虚像の範囲を上側にずらして、赤外線カメラ２１の撮影画像の虚像を、その上下左右の全幅に亘って第３の反射ミラー３１上で視認できるようにすることができる。
【００５２】
また、第３の反射ミラー３１の上下チルト角が、乗員のアイポイントＩＰとの関係で、下側にずれて調整されていると、乗員が第３の反射ミラー３１上で、主情報表示領域Ａ１に発光表示された赤外線カメラ２１の撮影画像の虚像のうち少なくとも上側の一部を視認できなくなり、その代わりに、主情報表示領域Ａ１に発光表示された赤外線カメラ２１の撮影画像の虚像の下方に、下側のマーク表示領域Ａ５に発光表示された上向きの矢印の虚像を、乗員が第３の反射ミラー３１上で視認することになる。
【００５３】
そこで、第３の反射ミラー３１上で虚像を視認する上向きの矢印によって第３の反射ミラー３１の上下チルト角が適切な角度よりも下側にずれていることを認識した乗員が、操作スイッチ１３の「＋」ボタン１３ａを操作してモータ３３ａを回転させ、チルト角調整機構３３により第３の反射ミラー３１の上下チルト角を上側に調整して、第３の反射ミラー３１の上下チルト角を適切な角度に調整することで、乗員が第３の反射ミラー３１上で視認できる赤外線カメラ２１の撮影画像の虚像の範囲を下側にずらして、赤外線カメラ２１の撮影画像の虚像を、その上下左右の全幅に亘って第３の反射ミラー３１上で視認できるようにすることができる。
【００５４】
そして、第１実施形態の車両用虚像表示装置では、上述したように、乗員が第３の反射ミラー３１上で、主情報表示領域Ａ１に発光表示された赤外線カメラ２１の撮影画像の虚像を全く視認できなくなるほど、第３の反射ミラー３１の上下チルト角が適切な角度から上側や下側に大きくずれても、上側のマーク表示領域Ａ３に発光表示された下向きの矢印の虚像と、下側のマーク表示領域Ａ５に発光表示された上向きの矢印の虚像とのどちらかを、乗員が第３の反射ミラー３１上で必ず視認できるように構成されている。
【００５５】
このため、乗員が第３の反射ミラー３１上で視認する赤外線カメラ２１の撮影画像の虚像の、第３の反射ミラー３１に対するずれの方向から、第３の反射ミラー３１の上下チルト角が上下のどちら側にずれているのかを認識することができなくても、第３の反射ミラー３１上で視認される、上側のマーク表示領域Ａ３に発光表示された下向きの矢印の虚像か、あるいは、下側のマーク表示領域Ａ５に発光表示された上向きの矢印の虚像によって、第３の反射ミラー３１の上下チルト角が上下のどちら側にずれているのかを確実に認識することができる。
【００５６】
次に、本発明の第２実施形態に係る車両用虚像表示装置について、図６を参照して説明する。
【００５７】
第２実施形態の車両用虚像表示装置は、図６に要部断面図で示すように、第１実施形態のＴＦＴ液晶パネル５１の上側のマーク表示領域Ａ３や下側のマーク表示領域Ａ５における下向きの矢印や上向きの矢印の発光表示を行わないようにし、その代わりに、図６中ＴＦＴ液晶パネル５１の左脇に上側のマーク用発光表示源５ａを設けると共に、図６中ＴＦＴ液晶パネル５１の右脇に下側のマーク用発光表示源５ｂを設けて、これらＴＦＴ液晶パネル５１、上側のマーク用発光表示源５ａ、及び、下側のマーク用発光表示源５ｂにより、第１実施形態の発光表示源５に代わる発光表示源５Ａを構成している。
【００５８】
前記上側のマーク用発光表示源５ａは、下向きの矢印の透過表示用シンボルを有するレンズシート５７ａと、このレンズシート５７ａの背後に配置された白色ＬＥＤ等の光源５９ａとを有しており、光源５９ａから出射された光がレンズシート５７ａを透過することで、下向きの矢印のシンボルの像光が第１の反射ミラー７側に出射されるように構成されている。
【００５９】
前記下側のマーク用発光表示源５ｂは、上向きの矢印の透過表示用シンボルを有するレンズシート５７ｂと、このレンズシート５７ｂの背後に配置された白色ＬＥＤ等の光源５９ｂとを有しており、光源５９ｂから出射された光がレンズシート５７ｂを透過することで、上向きの矢印のシンボルの像光が第１の反射ミラー７側に出射されるように構成されている。
【００６０】
ちなみに、第２実施形態の車両用虚像表示装置では、請求項中の情報画像表示源が、ＴＦＴ液晶パネル５１の主情報表示領域Ａ１によって構成されており、請求項中の位置ずれマーク表示源が、上側のマーク用発光表示源５ａ及び下側のマーク用発光表示源５ｂによって構成されている。
【００６１】
また、第２実施形態の車両用虚像表示装置では、第１実施形態の遮光筒１１に代えて、発光表示源５Ａ側の開口部分に変更を加えた遮光筒１１Ａが用いられている。
【００６２】
前記遮光筒１１Ａの発光表示源５Ａ側の開口部分は、具体的には、ＴＦＴ液晶パネル５１の主情報表示領域Ａ１をその上下の使用しない上側のマーク表示領域Ａ３や下側のマーク表示領域Ａ５から覆い隠す主遮光筒部１１ａと、主遮光筒部１１ａの図６中左脇に連設されて上側のマーク用発光表示源５ａのレンズシート５７ａと光源５９ａとを保持する上側保持部１１ｂと、主遮光筒部１１ａの図６中右脇に連設されて下側のマーク用発光表示源５ｂのレンズシート５７ｂと光源５９ｂとを保持する下側保持部１１ｃとを有している。
【００６３】
そして、前記遮光筒１１Ａの主遮光筒部１１ａと上側保持部１１ｂ及び下側保持部１１ｃとの境界部分には、上側のマーク用発光表示源５ａから出射される下向きの矢印のシンボルの像光や下側のマーク用発光表示源５ｂから出射される上向きの矢印のシンボルの像光の光路方向を規制する遮光壁１１ｄ，１１ｅが、第１の反射ミラー７側に向けて立設されている。
【００６４】
尚、前記遮光筒１１Ａの遮光壁１１ｄは、乗員が第３の反射ミラー３１上で視認する、主情報表示領域Ａ１に表示されて第１及び第２の反射ミラー７，９で反射された赤外線カメラ２１の撮影画像の虚像が、上下の全幅に亘って第３の反射ミラー３１の上下幅内に収まるように、チルト角調整機構３３により第３の反射ミラー３１の上下チルト角が適切に調整されている場合に、上側のマーク用発光表示源５ａから出射された下向きの矢印のシンボルの像光のうち、第１及び第２の反射ミラー７，９による反射後に第３の反射ミラー３１上に到達する光路成分を遮光して、上側のマーク用発光表示源５ａに発光表示された下向きの矢印のシンボルの虚像を、第３の反射ミラー３１上で乗員が全く視認できないようにするように構成されている。
【００６５】
かつ、遮光筒１１Ａの遮光壁１１ｄは、主情報表示領域Ａ１に発光表示されて第１及び第２の反射ミラー７，９で反射された赤外線カメラ２１の撮影画像の虚像の上側を、乗員が第３の反射ミラー３１上で視認できないように、第３の反射ミラー３１の上下チルト角が下側にずれて調整されている場合に、そのずれの度合いの大小に拘わらず、上側のマーク用発光表示源５ａから出射された下向きの矢印のシンボルの像光のうち、第１及び第２の反射ミラー７，９による反射後に第３の反射ミラー３１上に到達する光路成分を遮光せず、上側のマーク用発光表示源５ａに発光表示された下向きの矢印のシンボルの虚像を、第３の反射ミラー３１上で乗員が視認できるようにするように構成されている。
【００６６】
また、前記遮光筒１１Ａの遮光壁１１ｅは、乗員が第３の反射ミラー３１上で視認する、主情報表示領域Ａ１に表示されて第１及び第２の反射ミラー７，９で反射された赤外線カメラ２１の撮影画像の虚像が、上下の全幅に亘って第３の反射ミラー３１の上下幅内に収まるように、チルト角調整機構３３により第３の反射ミラー３１の上下チルト角が適切に調整されている場合に、下側のマーク用発光表示源５ｂから出射された上向きの矢印のシンボルの像光のうち、第１及び第２の反射ミラー７，９による反射後に第３の反射ミラー３１上に到達する光路成分を遮光して、下側のマーク用発光表示源５ｂに発光表示された上向きの矢印のシンボルの虚像を、第３の反射ミラー３１上で乗員が全く視認できないようにするように構成されている。
【００６７】
かつ、遮光筒１１Ａの遮光壁１１ｅは、主情報表示領域Ａ１に発光表示されて第１及び第２の反射ミラー７，９で反射された赤外線カメラ２１の撮影画像の虚像の下側を、乗員が第３の反射ミラー３１上で視認できないように、第３の反射ミラー３１の上下チルト角が上側にずれて調整されている場合に、そのずれの度合いの大小に拘わらず、下側のマーク用発光表示源５ｂから出射された上向きの矢印のシンボルの像光のうち、第１及び第２の反射ミラー７，９による反射後に第３の反射ミラー３１上に到達する光路成分を遮光せず、下側のマーク用発光表示源５ｂに発光表示された上向きの矢印のシンボルの虚像を、第３の反射ミラー３１上で乗員が視認できるようにするように構成されている。
【００６８】
この説明からも明らかなように、第２実施形態の車両用虚像表示装置では、請求項中の光路制限部材が、遮光筒１１Ａの遮光壁１１ｄ，１１ｅによって構成されている。
【００６９】
そして、上側のマーク用発光表示源５ａや下側のマーク用発光表示源５ｂの光源５９ａ，５９ｂは、第２のリミットスイッチ１５のオンによりベースユニット３の起立状態が検出されている状態で、不図示のオンオフスイッチがオンにされると、第１実施形態の車両用虚像表示装置におけるＴＦＴ液晶パネル５１の左右両脇の白色ＬＥＤ５３ａ〜５３ｅ，５５ａ〜５５ｄと同様に、前記主情報表示領域Ａ１に赤外線カメラ２１の撮影画像が表示されるように赤外線カメラ２１からの画像信号によるＴＦＴ液晶パネル５１の駆動と並行して、前記コントローラ１９により点灯される。
【００７０】
このように構成された第２実施形態の車両用虚像表示装置において、第３の反射ミラー３１の上下チルト角が、乗員のアイポイントＩＰとの関係で、上側にずれて調整されていると、乗員が第３の反射ミラー３１上で、主情報表示領域Ａ１に発光表示された赤外線カメラ２１の撮影画像の虚像のうち少なくとも下側の一部を視認できなくなり、その代わりに、主情報表示領域Ａ１に発光表示された赤外線カメラ２１の撮影画像の虚像の上方に、上側のマーク用発光表示源５ａに発光表示された下向きの矢印のシンボルの虚像を、乗員が第３の反射ミラー３１上で視認することになる。
【００７１】
そこで、第３の反射ミラー３１上で虚像を視認する下向きの矢印のシンボルによって第３の反射ミラー３１の上下チルト角が適切な角度よりも上側にずれていることを認識した乗員が、操作スイッチ１３の「−」ボタン１３ｂを操作してモータ３３ａを回転させ、チルト角調整機構３３により第３の反射ミラー３１の上下チルト角を下側に調整して、第３の反射ミラー３１の上下チルト角を適切な角度に調整することで、乗員が第３の反射ミラー３１上で視認できる赤外線カメラ２１の撮影画像の虚像の範囲を上側にずらして、赤外線カメラ２１の撮影画像の虚像を、その上下左右の全幅に亘って第３の反射ミラー３１上で視認できるようにすることができる。
【００７２】
また、第３の反射ミラー３１の上下チルト角が、乗員のアイポイントＩＰとの関係で、下側にずれて調整されていると、乗員が第３の反射ミラー３１上で、主情報表示領域Ａ１に発光表示された赤外線カメラ２１の撮影画像の虚像のうち少なくとも上側の一部を視認できなくなり、その代わりに、主情報表示領域Ａ１に発光表示された赤外線カメラ２１の撮影画像の虚像の下方に、下側のマーク用発光表示源５ｂに発光表示された上向きの矢印のシンボルの虚像を、乗員が第３の反射ミラー３１上で視認することになる。
【００７３】
そこで、第３の反射ミラー３１上で虚像を視認する上向きの矢印のシンボルによって第３の反射ミラー３１の上下チルト角が適切な角度よりも下側にずれていることを認識した乗員が、操作スイッチ１３の「＋」ボタン１３ａを操作してモータ３３ａを回転させ、チルト角調整機構３３により第３の反射ミラー３１の上下チルト角を上側に調整して、第３の反射ミラー３１の上下チルト角を適切な角度に調整することで、乗員が第３の反射ミラー３１上で視認できる赤外線カメラ２１の撮影画像の虚像の範囲を下側にずらして、赤外線カメラ２１の撮影画像の虚像を、その上下左右の全幅に亘って第３の反射ミラー３１上で視認できるようにすることができる。
【００７４】
そして、第２実施形態の車両用虚像表示装置では、上述したように、乗員が第３の反射ミラー３１上で、主情報表示領域Ａ１に発光表示された赤外線カメラ２１の撮影画像の虚像を全く視認できなくなるほど、第３の反射ミラー３１の上下チルト角が適切な角度から上側や下側に大きくずれても、上側のマーク用発光表示源５ａに発光表示された下向きの矢印のシンボルの虚像と、下側のマーク用発光表示源５ｂに発光表示された上向きの矢印のシンボルの虚像とのどちらかを、乗員が第３の反射ミラー３１上で必ず視認できるように構成されている。
【００７５】
このため、乗員が第３の反射ミラー３１上で視認する赤外線カメラ２１の撮影画像の虚像の、第３の反射ミラー３１に対するずれの方向から、第３の反射ミラー３１の上下チルト角が上下のどちら側にずれているのかを認識することができなくても、第３の反射ミラー３１上で視認される、上側のマーク用発光表示源５ａに発光表示された下向きの矢印のシンボルの虚像か、あるいは、下側のマーク用発光表示源５ｂに発光表示された上向きの矢印のシンボルの虚像によって、第３の反射ミラー３１の上下チルト角が上下のどちら側にずれているのかを確実に認識することができる。
【００７６】
しかも、上述した第２実施形態の車両用虚像表示装置では、乗員が第３の反射ミラー３１上で視認する、主情報表示領域Ａ１に表示されて第１及び第２の反射ミラー７，９で反射された赤外線カメラ２１の撮影画像の虚像が、上下の全幅に亘って第３の反射ミラー３１の上下幅内に収まるように、チルト角調整機構３３により第３の反射ミラー３１の上下チルト角が適切に調整されている場合に、上側のマーク用発光表示源５ａから出射された下向きの矢印のシンボルの像光や、下側のマーク用発光表示源５ｂから出射された上向きの矢印のシンボルの像光のうち、第１及び第２の反射ミラー７，９による反射後に第３の反射ミラー３１上に到達する光路成分が、遮光壁１１ｄ，１１ｅによって遮光される構成とした。
【００７７】
このため、チルト角調整機構３３により第３の反射ミラー３１の上下チルト角が適切に調整されている場合に、上側のマーク用発光表示源５ａから出射された下向きの矢印のシンボルの像光や、下側のマーク用発光表示源５ｂから出射された上向きの矢印のシンボルの像光が、遮光筒１１の内壁における乱反射により、第１乃至第３の反射ミラー７，９，３１における反射を経てアイレンジＩＲに到達し、上向きの矢印のシンボルや下向きの矢印のシンボルのゴースト像が乗員に視認されてしまうのを、遮光壁１１ｄ，１１ｅによる遮光によって防止することができる。
【００７８】
尚、上述した第１及び第２実施形態の車両用虚像表示装置では、第２のリミットスイッチ１５のオンによりベースユニット３の起立状態が検出されている状態で、不図示のオンオフスイッチがオンにされると、上側のマーク表示領域Ａ３及び下側のマーク表示領域Ａ５における上向きの矢印及び下向きの矢印の発光表示や、上側のマーク用発光表示源５ａ及び下側のマーク用発光表示源５ｂにおける上向きの矢印のシンボル及び下向きの矢印のシンボルの発光表示が、コントローラ１９によって行われるものとした。
【００７９】
しかし、第２のリミットスイッチ１５のオンによりベースユニット３の起立状態が検出されている状態で、あるいは、第２のリミットスイッチ１５のオンによりベースユニット３の起立状態が検出されていて、かつ、不図示のオンオフスイッチがオンにされている状態で、操作スイッチ１３の「＋」ボタン１３ａが操作されると、その操作が終わるまで、上側のマーク表示領域Ａ３における上向きの矢印の発光表示や、上側のマーク用発光表示源５ａにおける上向きの矢印のシンボルの発光表示が、コントローラ１９によって行われ、操作スイッチ１３の「−」ボタン１３ｂが操作されると、その操作が終わるまで、下側のマーク表示領域Ａ５における下向きの矢印の発光表示や、下側のマーク用発光表示源５ｂにおける下向きの矢印のシンボルの発光表示が、コントローラ１９によって行われる構成としてもよい。
【００８０】
そして、第１実施形態の車両用虚像表示装置において、上述のように構成した場合には、ＴＦＴ液晶パネル５１の上側のマーク表示領域Ａ３や下側のマーク表示領域Ａ５に対応する、ＴＦＴ液晶パネル５１の左右両脇の上端の白色ＬＥＤ５３ａ，５５ａや下端の白色ＬＥＤ５３ｅ，５５ｅの点灯が、不要時に行われることがないので、ＴＦＴ液晶パネル５１のバックライト部分における消費電力を抑制することができ、有利である。
【００８１】
また、第２実施形態の車両用虚像表示装置において、上述のように構成した場合には、操作スイッチ１３の「＋」ボタン１３ａや「−」ボタン１３ｂの操作に伴う、上側のマーク用発光表示源５ａ及び下側のマーク用発光表示源５ｂにおける上向きの矢印のシンボル及び下向きの矢印のシンボルの発光表示が、不要時に行われることがないので、上向きの矢印のシンボルや下向きの矢印のシンボルのゴースト像の発生を防止するための、遮光筒１１の遮光壁１１ｄ，１１ｅを、省略してもよい。
【００８２】
さらに、上述した第１及び第２実施形態の車両用虚像表示装置では、発光表示源５，５Ａからの光束が、第１乃至第３の反射ミラー７，９，３１での反射を経てアイレンジＩＲに到達するまでの間に交差しない場合について説明したが、交差する場合には、その交差の回数に応じて、必要により、ＴＦＴ液晶パネル５１の主情報表示領域Ａ１に対する上側のマーク表示領域Ａ３や下側のマーク表示領域Ａ５の配置や、ＴＦＴ液晶パネル５１に対する上側のマーク用発光表示源５ａ及び下側のマーク用発光表示源５ｂの配置を、逆転させればよい。
【００８３】
また、上述した第１及び第２実施形態の車両用虚像表示装置では、発光表示源５，５Ａからの光束を第１及び第２の反射ミラー７，９で反射させて、上下チルト角の調整が可能なベースユニット３の第３の反射ミラー３１に導く構成について説明したが、本発明は、発光表示源５，５Ａからの光束を直接、あるいは、１又は３以上の反射ミラーで反射させて、上下チルト角の調整が可能なベースユニット３の第３の反射ミラー３１に導く構成の車両用虚像表示装置にも、同様に適用可能であることは、言うまでもない。
【図面の簡単な説明】
【００８４】
【図１】本発明の第１実施形態に係る車両用虚像表示装置の概略構成を示す断面図である。
【図２】図１のチルト角調整機構の概略構成を示す斜視図である。
【図３】図２のチルト角調整機構による上下チルト角の調整時に操作される操作スイッチの正面図である。
【図４】図１の発光表示源の概略構成を示す説明図である。
【図５】図１の車両用虚像表示装置の電気的概略構成を示すブロック図である。
【図６】本発明の第２実施形態に係る車両用虚像表示装置の概略構成を示す要部断面図である。
【符号の説明】
【００８５】
５ａ  上側のマーク用発光表示源（位置ずれマーク表示源）
５ｂ  下側のマーク用発光表示源（位置ずれマーク表示源）
１１Ａ  遮光筒（光路制限部材）
１１ｄ，１１ｅ  遮光壁（光路制限部材）
１３  操作スイッチ
１３ａ  「＋」ボタン（操作スイッチ）
１３ｂ  「−」ボタン（操作スイッチ）
３１  第３の反射ミラー（反射ミラー）
３３  チルト角調整機構
５１  ＴＦＴ液晶パネル（情報画像表示源、位置ずれマーク表示源）
Ａ１  主情報表示領域（情報画像表示源）
Ａ３  上側のマーク表示領域（位置ずれマーク表示源）
Ａ５  下側のマーク表示領域（位置ずれマーク表示源）
ＩＰ  アイポイント
【図１】
2006224919.tif 000003
【図２】
2006224919.tif 000004
【図３】
2006224919.tif 000005
【図４】
2006224919.tif 000006
【図５】
2006224919.tif 000007
【図６】
2006224919.tif 000008